(57)【要約】      （修正有）【課題】対物レンズの種類を切り替えながら多数の検査を行う場合であっても、手間を掛けずに操作することができる顕微鏡を提供する。【解決手段】顕微鏡１は、倍率の異なる複数の対物レンズ１８と、複数の対物レンズ１８のいずれか一つを選択的に切り替えるレボルバ１９と、対物レンズ１８の光軸上に配置された手動絞りと、を備え、手動絞りの絞り径を、レボルバ１９によって切り替えられた対物レンズ１８の種類に応じた値に変更可能であり、手動絞りは、光軸を中心に回転可能であり、回転角に応じて絞り径を変更する環状部材を有し、環状部材の回転角を、予め設定された回転角へと位置決めするための位置決め手段を備えている。【選択図】図１
2019090968.tif 000002
【特許請求の範囲】
【請求項１】
倍率の異なる複数の対物レンズと、前記複数の対物レンズのいずれか一つを選択的に切り替えるレボルバと、前記対物レンズの光軸上に配置された手動絞りと、を備え、前記手動絞りの絞り径を、前記レボルバによって切り替えられた前記対物レンズの種類に応じた値に変更可能な顕微鏡において、
前記手動絞りは、前記光軸を中心に回転可能であり、回転角に応じて前記絞り径を変更する環状部材を有し、
前記環状部材の回転角を、予め設定された回転角へと位置決めするための位置決め手段を備えることを特徴とする顕微鏡。
【請求項２】
前記位置決め手段は、
前記環状部材の外周面において、軸方向に沿って延びる複数の第一の溝部と、
前記環状部材の外周面を押圧し、前記環状部材の回転に伴って前記第一の溝部に係合する押圧部材と、
を有し、
前記複数の第一の溝部は、前記環状部材の回転に伴って前記押圧部材が係合した際の前記絞り径が、対応する前記対物レンズの種類に応じた値となる位置に形成されていることを特徴とする請求項１に記載の顕微鏡。
【請求項３】
前記位置決め手段は、
前記環状部材の外周面の周方向に沿って延びる第二の溝部と、
前記第二の溝部に対して前記環状部材の外周側から挿入され、前記環状部材の回転に伴って前記第二の溝部内を相対的に移動可能なピン部材と、
を有し、
前記第二の溝部は、前記環状部材の回転に伴って前記ピン部材が前記第二の溝部の周方向における一端または他端に当接した際の前記絞り径が、対応する前記対物レンズの種類に応じた値となる位置に形成されていることを特徴とする請求項１に記載の顕微鏡。
【請求項４】
前記第二の溝部は、
前記環状部材の回転に伴って前記ピン部材が前記第二の溝部の一端に当接した際の前記絞り径が、前記複数の対物レンズのうちの一つに応じた値となり、
前記環状部材の回転に伴って前記ピン部材が前記第二の溝部の他端に当接した際の前記絞り径が、前記複数の対物レンズのうちの別の一つに応じた値となる位置に形成されていることを特徴とする請求項３に記載の顕微鏡。
【請求項５】
前記手動絞りは、
前記環状部材の外周面から、前記環状部材の径方向に突出する操作ツマミと、
前記環状部材の底部において、前記環状部材の径方向に張り出すベース部と、
を有し、
前記位置決め手段は、
前記ベース部の周方向に沿って、かつ前記ベース部を貫通して形成された長孔と、
前記長孔に対して、前記操作ツマミを挟む両側の位置に挿入され、前記環状部材が回転した際に、前記操作ツマミの周方向における一方または他方の側面が当接可能な二本のピン部材と、
を有し、
前記二本のピン部材は、前記環状部材の回転に伴って前記操作ツマミの一方または他方の側面が当接した際の前記絞り径が、対応する前記対物レンズの種類に応じた値となる位置に設けられていることを特徴とする請求項１に記載の顕微鏡。
【請求項６】
前記二本のピン部材は、
前記環状部材の回転に伴って前記操作ツマミの一方の側面が当接した際の前記絞り径が、前記複数の対物レンズのうちの一つに応じた値となる位置と、
前記環状部材の回転に伴って前記操作ツマミの他方の側面が当接した際に、前記絞り径が、前記複数の対物レンズのうちの別の一つに応じた値となる位置と、
に設けられていることを特徴とする請求項５に記載の顕微鏡。
【請求項７】
前記手動絞りは、開口絞りまたは視野絞りのいずれか一方、もしくは両方であることを特徴とする請求項１から請求項６のいずれか一項に記載の顕微鏡。
【発明の詳細な説明】
【技術分野】
【０００１】
本発明は、医学、生物学等の分野で利用される顕微鏡に関する。
【背景技術】
【０００２】
顕微鏡は、医学、生物学を始め、その他の分野において研究、検査および教育用途として利用されている。検査用途では、主にスライド標本を拡大観察し、一日に多数のスライド標本を検査する場合がある。スライド標本を拡大観察する場合、低倍（４倍〜１０倍の）の対物レンズによって、スライド標本を設置したステージのＸＹハンドルでスライド標本を移動させながら観察する。この時、標本として組織や細胞の異常、細菌の有無といった注目すべき箇所がある場合は、レボルバを操作し、中高倍（２０倍〜１００倍）の対物レンズに切り替える。
【０００３】
近年は、顕微鏡として鮮明な観察像が求められているだけではなく、顕微鏡の各部の操作性向上や、操作に伴う疲労軽減等も求められている。特に、前記したような検査用途では、一日に多数のスライド標本を検査する場合があるため、これらの要求は強くなっている。このような要求に対して、例えば特許文献１では、レバー部材の操作力を伝達してアーム部材を連動させる伝達機構を設けることにより、光学素子を切り替える際の操作性を向上させた顕微鏡用のターレットコンデンサが提案されている。
【先行技術文献】
【特許文献】
【０００４】
【特許文献１】特開平１１−３２６７７６号公報
【発明の概要】
【発明が解決しようとする課題】
【０００５】
ここで、従来の顕微鏡を用いたスライド標本の検査では、例えば対物レンズの種類（倍率）を切り替えた場合、開口絞りの絞り径と視野絞りの絞り径をその都度調整し直す必要があった。従って、顕微鏡の操作に手間が掛かるという問題があった。
【０００６】
本発明は、上記に鑑みてなされたものであって、対物レンズの種類を切り替えながら多数の検査を行う場合であっても、手間を掛けずに操作することができる顕微鏡を提供することを目的とする。
【課題を解決するための手段】
【０００７】
上述した課題を解決し、目的を達成するために、本発明に係る顕微鏡は、倍率の異なる複数の対物レンズと、前記複数の対物レンズのいずれか一つを選択的に切り替えるレボルバと、前記対物レンズの光軸上に配置された手動絞りと、を備え、前記手動絞りの絞り径を、前記レボルバによって切り替えられた前記対物レンズの種類に応じた値に変更可能な顕微鏡において、前記手動絞りは、前記光軸を中心に回転可能であり、回転角に応じて前記絞り径を変更する環状部材を有し、前記環状部材の回転角を、予め設定された回転角へと位置決めするための位置決め手段を備えることを特徴とする。
【０００８】
また、本発明に係る顕微鏡は、上記発明において、前記位置決め手段は、前記環状部材の外周面において、軸方向に沿って延びる複数の第一の溝部と、前記環状部材の外周面を押圧し、前記環状部材の回転に伴って前記第一の溝部に係合する押圧部材と、を有し、前記複数の第一の溝部は、前記環状部材の回転に伴って前記押圧部材が係合した際の前記絞り径が、対応する前記対物レンズの種類に応じた値となる位置に形成されていることを特徴とする。
【０００９】
また、本発明に係る顕微鏡は、上記発明において、前記位置決め手段は、前記環状部材の外周面の周方向に沿って延びる第二の溝部と、前記第二の溝部に対して前記環状部材の外周側から挿入され、前記環状部材の回転に伴って前記第二の溝部内を相対的に移動可能なピン部材と、を有し、前記第二の溝部は、前記環状部材の回転に伴って前記ピン部材が前記第二の溝部の周方向における一端または他端に当接した際の前記絞り径が、対応する前記対物レンズの種類に応じた値となる位置に形成されていることを特徴とする。
【００１０】
また、本発明に係る顕微鏡は、上記発明において、前記第二の溝部は、前記環状部材の回転に伴って前記ピン部材が前記第二の溝部の一端に当接した際の前記絞り径が、前記複数の対物レンズのうちの一つに応じた値となり、前記環状部材の回転に伴って前記ピン部材が前記第二の溝部の他端に当接した際の前記絞り径が、前記複数の対物レンズのうちの別の一つに応じた値となる位置に形成されていることを特徴とする。
【００１１】
また、本発明に係る顕微鏡は、上記発明において、前記手動絞りは、前記環状部材の外周面から、前記環状部材の径方向に突出する操作ツマミと、前記環状部材の底部において、前記環状部材の径方向に張り出すベース部と、を有し、前記位置決め手段は、前記ベース部の周方向に沿って、かつ前記ベース部を貫通して形成された長孔と、前記長孔に対して、前記操作ツマミを挟む両側の位置に挿入され、前記環状部材が回転した際に、前記操作ツマミの周方向における一方または他方の側面が当接可能な二本のピン部材と、を有し、前記二本のピン部材は、前記環状部材の回転に伴って前記操作ツマミの一方または他方の側面が当接した際の前記絞り径が、対応する前記対物レンズの種類に応じた値となる位置に設けられていることを特徴とする。
【００１２】
また、本発明に係る顕微鏡は、上記発明において、前記二本のピン部材は、前記環状部材の回転に伴って前記操作ツマミの一方の側面が当接した際の前記絞り径が、前記複数の対物レンズのうちの一つに応じた値となる位置と、前記環状部材の回転に伴って前記操作ツマミの他方の側面が当接した際に、前記絞り径が、前記複数の対物レンズのうちの別の一つに応じた値となる位置と、に設けられていることを特徴とする。
【００１３】
また、本発明に係る顕微鏡は、上記発明において、前記手動絞りは、開口絞りまたは視野絞りのいずれか一方、もしくは両方であることを特徴とする。
【発明の効果】
【００１４】
本発明によれば、手動絞りの絞り径を決定する環状部材の回転角が、対物レンズの種類（倍率）に応じて予め位置決めされているため、対物レンズの種類を変更した際に、手動絞りの絞り径を、対応する対物レンズの種類に応じた値へと素早く設定することができる。従って、顕微鏡の操作の手間を削減することができる。
【図面の簡単な説明】
【００１５】
【図１】図１は、本発明の実施の形態１に係る顕微鏡の構成を示す側面図である。
【図２】図２は、本発明の実施の形態１に係る顕微鏡の開口絞りの構成を示す斜視図である。
【図３】図３は、本発明の実施の形態１に係る顕微鏡の開口絞りの構成を示す部分断面図である。
【図４】図４は、本発明の実施の形態１に係る顕微鏡の開口絞りの構成を示す斜視図である。
【図５】図５は、本発明の実施の形態１に係る顕微鏡の視野絞りの構成を示す斜視図である。
【図６】図６は、本発明の実施の形態１に係る顕微鏡の視野絞りの構成を示す部分断面図である。
【図７】図７は、本発明の実施の形態１に係る顕微鏡の視野絞りの構成を示す斜視図である。
【図８】図８は、本発明の実施の形態２に係る顕微鏡の開口絞りの構成を示す部分断面図である。
【図９】図９は、本発明の実施の形態２に係る顕微鏡の開口絞りの構成を示す斜視図である。
【図１０】図１０は、本発明の実施の形態３に係る顕微鏡の開口絞りの構成を示す斜視図である。
【図１１】図１１は、本発明の実施の形態３に係る顕微鏡の開口絞りの構成を示す断面図である。
【図１２】図１２は、本発明の実施の形態３に係る顕微鏡の開口絞りの構成を示す断面図である。
【発明を実施するための形態】
【００１６】
以下、本発明に係る顕微鏡の実施の形態について、図面を参照しながら説明する。なお、本発明は以下の実施の形態に限定されるものではなく、以下の実施の形態における構成要素には、当業者が置換可能かつ容易なもの、あるいは実質的に同一のものも含まれる。
【００１７】
（実施の形態１）
本発明の実施の形態１に係る顕微鏡１の構成について、図１〜図７を参照しながら説明する。本実施の形態に係る顕微鏡１は正立顕微鏡であり、図１に示すように、顕微鏡本体１０と、倍率の異なる複数の対物レンズ１８と、複数の対物レンズ１８のいずれか一つを選択的に切り替えるためのレボルバ１９と、鏡筒２１と、鏡筒２１に取り付けられた接眼レンズ２３と、ステージ３１と、開口絞り４０を備えるコンデンサユニット３２と、視野絞り５０と、を主に備えている。
【００１８】
なお、顕微鏡１において、前記した開口絞り４０および視野絞り５０は、絞り径をユーザが手動で切り替えることができる手動絞りであり、対物レンズ１８の光軸上にそれぞれ配置されている。顕微鏡１では、レボルバ１９によって対物レンズ１８の種類を切り替えた際に、開口絞り４０および視野絞り５０の絞り径を、レボルバ１９によって切り替えられた対物レンズ１８の種類に応じた値に変更可能である。
【００１９】
顕微鏡本体１０は、ベース部１１ａと、ベース部１１ａの背面側に立設する柱部１１ｂと、柱部１１ｂに支持されて正面側に向かって延在するアーム部１１ｃと、を有している。ベース部１１ａは、机上等の顕微鏡１が設置される場所に直接載置される部分である。ベース部１１ａの内部には、ステージ３１に載置されたスライド標本（以下、単に「標本」という）を照射する照明光を発生する光源１６と、コレクタレンズ１７と、が設けられている。
【００２０】
柱部１１ｂは、下端部においてベース部１１ａと一体化されている。また、柱部１１ｂは、ステージ３１を光軸に沿って上下方向に移動させるためのステージ焦準ハンドル１３を備えている。このステージ焦準ハンドル１３によってステージ３１上の標本と対物レンズ１８との間の相対距離を変化させることにより、ピント調整を行う。なお、前記した「光軸」とは、対物レンズ１８の光軸のことを意味している。
【００２１】
柱部１１ｂは、ステージ保持部材１２を介してステージ３１を保持する。このステージ保持部材１２は、コンデンサユニット３２を光軸に沿って上下方向に移動可能にするコンデンサガイド１４と、コンデンサユニット３２の上下方向の移動を操作するコンデンサ焦準ハンドル１５と、を備えている。
【００２２】
レボルバ１９は、アーム部１１ｃの下面に取り付けられている。このレボルバ１９には、倍率の異なる複数の対物レンズ１８が着脱自在に取り付けられている。そして、レボルバ１９が回転操作されることにより、複数の対物レンズ１８のうちの一つが、光軸上に配置される。
【００２３】
鏡筒２１は、アーム部１１ｃの上面に着脱自在に取り付けられている。鏡筒２１には、接眼レンズ２３と、鏡筒２１の上部に取り付けられる図示しないカメラとの間で光路の切り替えを行う切り替えレバー２２が設けられている。コンデンサユニット３２は、ステージ３１の下面に取り付けられている。また、視野絞り５０は、ベース部１１ａの上面に取り付けられている。
【００２４】
ここで、従来の顕微鏡を用いた標本の検査では、例えば以下の手順で操作を行う。
（１）レボルバを回転操作し、対物レンズを低倍（例えば１０倍）に切り替える。
（２）スライド標本をステージの上面に載置する。
（３）ステージ焦準ハンドルを操作して標本にピントを合わせる。
（４）開口絞りの操作ツマミを、コンデンサユニットの前面に表示された１０倍の指標に合わせることにより、開口絞りの絞り径を調整する。
（５）視野絞りの操作環を回転操作し、絞り径を、１０倍の対物レンズの観察視野に外接する値に調整する。
（６）１０倍の対物レンズでステージ上をＸＹ方向に移動してスクリーニングする。
（７）標本上に注目すべき箇所がある場合、レボルバを回転操作し、対物レンズの倍率を中高倍（例えば４０倍）に切り替える。
（８）ステージ焦準ハンドルを操作して標本にピントを合わせる。
（９）開口絞りの操作ツマミを、コンデンサユニットの前面に表示された４０倍の指標に合わせることにより、開口絞りの絞り径を調整する。
（１０）視野絞りの操作環を回転操作し、絞り径を、４０倍の対物レンズの観察視野に外接する値に調整する。
（１１）４０倍の対物レンズで詳細な観察を行う。
【００２５】
このように、従来の顕微鏡を用いた標本の検査では、対物レンズの種類を切り替えるごとに、手動絞り（開口絞りおよび視野絞り）の絞り径の調整を行う必要があり（上記（７）〜（１０）参照）、操作に手間が掛かっていた。そこで、本実施の形態１に係る顕微鏡１では、図２〜図７に示すような構成の手動絞り（開口絞り４０および視野絞り５０）を備えることにより、上記の問題を解決した。
【００２６】
まず、顕微鏡１の開口絞り４０の具体的構成について、図２〜図４を参照しながら説明する。開口絞り４０は、上ベース部４１と、下ベース部４２と、絞り環（環状部材）４３と、操作ツマミ４４と、ボールプランジャ（押圧部材）４５と、絞り羽４６と、レンズ４７と、を備えている。なお、図２は、開口絞り４０の全体構成を示しており、図３は、図２の開口絞り４０において、切欠き４１ａの底面４１ａａに沿って上ベース部４１およびボールプランジャ４５の上半分を切断した状態を示しており、図４は、図２の開口絞り４０において、上ベース部４１を取り外し、かつ絞り環４３の上半分を切断した状態を示している。
【００２７】
上ベース部４１は、下部が開放された筒状に形成されており、上部にレンズ４７が取り付けられている。上ベース部４１の外周面の一部には、操作ツマミ４４が挿入される切欠き４１ａが形成されている。また、上ベース部４１の外周面には、図３に示すように、貫通孔４１ｂが形成されている。この貫通孔４１ｂの内周面はネジが切られており、後記するボールプランジャ４５の凸部４５２がねじ込まれている。
【００２８】
下ベース部４２は、中空円板状に形成されており、前記した上ベース部４１と嵌め合わされている。下ベース部４２の上面には、絞り環４３が回転可能に載置されている。また、下ベース部４２は、絞り環４３の底部において、当該絞り環４３の径方向に張り出した形状を呈している。
【００２９】
絞り環４３は、筒状に形成されており、内部に６枚の絞り羽４６が設けられている。絞り環４３は、光軸を中心に回転可能に構成されている。顕微鏡１では、光軸を中心として絞り環４３を回転させることにより、６枚の絞り羽４６による絞り径Ｄ（図４参照）が変化する。絞り環４３の外周面には、複数の溝部（第一の溝部）４３ａが形成されている。
【００３０】
複数の溝部４３ａは、絞り環４３の外周面において、各々が軸方向に沿って延びるＶ字状の溝である。これらの溝部４３ａは、周方向に沿って並んで配置されている。また、これらの溝部４３ａには、後記するように、絞り環４３の回転に伴ってボールプランジャ４５のボール４５４が入り込んで係合する。なお、溝部４３ａの具体的な形成位置については後記する。
【００３１】
操作ツマミ４４は、絞り環４３と一体的に形成されており、絞り環４３の外周面から、当該絞り環４３の径方向に突出している。また、操作ツマミ４４は、切欠き４１ａから上ベース部４１および下ベース部４２の外側に突出しており、切欠き４１ａに沿って移動可能に構成されている。そして、図４の矢印に示すように、この操作ツマミ４４を下ベース部４２の径方向に沿って移動させることにより、絞り環４３が光軸を中心に回転し、それに伴って絞り羽４６による絞り径Ｄが変化する。
【００３２】
ボールプランジャ４５は、柱状のケース本体４５１と、ケース本体４５１から突出する筒状の凸部４５２と、凸部４５２の内部に設けられたコイルバネ４５３と、凸部４５２の先端に設けられ、コイルバネ４５３によって絞り環４３の方向に付勢されるボール４５４と、を備えている。このような構成を備えるボールプランジャ４５は、絞り環４３の外周面をボール４５４によって押圧することにより、当該絞り環４３の回転に伴って溝部４３ａに係合する。
【００３３】
ここで、例えば顕微鏡１が４倍、１０倍、４０倍、１００倍の４種類の対物レンズ１８を備えている場合、図４に示すように、絞り環４３の外周面に４つの溝部４３ａが形成される。溝部４３ａは、絞り環４３の回転に伴ってボールプランジャ４５が溝部４３ａに係合した際の開口絞り４０の絞り径Ｄが、対応する対物レンズ１８の種類に応じた値となる位置に形成される。
【００３４】
例えば、図４に示すように、ボールプランジャ４５が溝部４３ａ１００に係合している際の開口絞り４０の絞り径Ｄは、１００倍の対物レンズ１８に応じた値となる。また、そこから絞り環４３を反時計回りに回転させて、ボールプランジャ４５を溝部４３ａ４０に係合させた際の開口絞り４０の絞り径Ｄは、４０倍の対物レンズ１８に応じた値となる。同様に、ボールプランジャ４５を溝部４３ａ１０に係合させた際の開口絞り４０の絞り径Ｄは、１０倍の対物レンズ１８に応じた値となり、ボールプランジャ４５を溝部４３ａ４に係合させた際の開口絞り４０の絞り径Ｄは、４倍の対物レンズ１８に応じた値となる。
【００３５】
このように、開口絞り４０では、絞り環４３の外周面に形成された複数の溝部４３ａと、絞り環４３の外周面を押圧するボールプランジャ４５とが、絞り環４３の回転角を予め設定された回転角へと位置決めするための位置決め手段として機能する。なお、４倍、１０倍、４０倍、１００倍の対物レンズ１８を切り替えるためのレボルバ１９（図１参照）の回転方向と、開口絞り４０の操作ツマミ４４の移動方向（図４の矢印参照）とは、それぞれ同じ方向である（以降の実施の形態でも同様）。
【００３６】
続いて、顕微鏡１の視野絞り５０の具体的構成について、図５〜図７を参照しながら説明する。視野絞り５０は、蓋部材５１と、操作環５３と、絞り環（環状部材）５４と、絞り羽５５と、ボールプランジャ４５と、を備えている。なお、図５は、視野絞り５０の全体構成を示しており、図６は、図５の視野絞り５０において、蓋部材５１およびボールプランジャ４５の上半分を切断した状態を示しており、図７は、図５の視野絞り５０において、蓋部材５１を取り外した状態を示している。また、視野絞り５０のボールプランジャ４５は、前記した開口絞り４０におけるものと同様であるため、詳細な説明は省略する。
【００３７】
蓋部材５１は、下部が開放された筒状に形成されており、上部に窓レンズ５２が設けられている。また、蓋部材５１は、操作環５３の上部を覆うように配置されている。蓋部材５１の外周面には、図６に示すように、貫通孔５１ａが形成されている。この貫通孔５１ａの内周面はネジが切られており、ボールプランジャ４５の凸部４５２がねじ込まれている。
【００３８】
操作環５３は、筒状に形成されており、絞り環５４と一体的に形成されている。絞り環５４は、筒状に形成されており、内部に１０枚の絞り羽５５が設けられている。操作環５３は、光軸を中心に回転可能に構成されている。顕微鏡１では、光軸を中心として操作環５３を回転させることにより、１０枚の絞り羽５５による絞り径Ｄ（図６参照）が変化する。操作環５３の外周面には、複数の溝部５３ａが形成されている。
【００３９】
複数の溝部５３ａは、操作環５３の外周面において、周方向に沿って並んで形成されたＶ字状の溝である。これらの溝部５３ａには、操作環５３の回転に伴ってボールプランジャ４５のボール４５４が入り込んで係合する。なお、溝部５３ａの具体的な形成位置については後記する。
【００４０】
ここで、例えば顕微鏡１が４倍、１０倍、４０倍、１００倍の４種類の対物レンズ１８を備えている場合、図７に示すように、操作環５３の外周面に４つの溝部５３ａが形成される。溝部５３ａは、操作環５３の回転に伴ってボールプランジャ４５が溝部５３ａに係合した際の視野絞り５０の絞り径Ｄが、対応する対物レンズ１８の種類に応じた値となる位置に形成される。
【００４１】
例えば、図７に示すように、ボールプランジャ４５が溝部５３ａ１００に係合している際の視野絞り５０の絞り径Ｄは、１００倍の対物レンズ１８に応じた値となる。また、そこから操作環５３を反時計回りに回転させて、ボールプランジャ４５を溝部５３ａ４０に係合させた際の視野絞り５０の絞り径Ｄは、４０倍の対物レンズ１８に応じた値となる。同様に、ボールプランジャ４５を溝部５３ａ１０に係合させた際の視野絞り５０の絞り径Ｄは、１０倍の対物レンズ１８に応じた値となり、ボールプランジャ４５を溝部５３ａ４に係合させた際の視野絞り５０の絞り径Ｄは、４倍の対物レンズ１８に応じた値となる。
【００４２】
このように、視野絞り５０では、操作環５３の外周面に形成された複数の溝部５３ａと、操作環５３の外周面を押圧するボールプランジャ４５とが、操作環５３の回転角を予め設定された回転角へと位置決めするための位置決め手段として機能する。なお、４倍、１０倍、４０倍、１００倍の対物レンズ１８を切り替えるためのレボルバ１９（図１参照）の回転方向と、視野絞り５０の操作環５３の回転方向（図７の矢印参照）とは、それぞれ同じ方向である。
【００４３】
以上のような構成を備える顕微鏡１によれば、手動絞り（開口絞り４０および視野絞り５０）の絞り径を決定する環状部材（絞り環４３および操作環５３）の回転角が、対物レンズ１８の種類（倍率）に応じて予め位置決めされているため、対物レンズ１８の種類を変更した際に、手動絞りの絞り径を、対応する対物レンズ１８の種類に応じた値へと素早く設定することができる。従って、対物レンズ１８の種類を切り替えながら多数の検査を行う場合であっても、操作の手間を削減することができ、操作に伴う疲労を軽減することができる。
【００４４】
例えば、レボルバ１９を時計回りに回転操作することにより、対物レンズ１８を４倍から１０倍へと切り替えた場合、操作ツマミ４４を時計回りに移動させることにより、溝部４３ａ４に係合しているボールプランジャ４５を、絞り環４３の外周面に沿って移動させ、隣の溝部４３ａ１０に係合させる。これにより、開口絞り４０の絞り径を、４倍の対物レンズ１８に応じた値から、１０倍の対物レンズ１８に応じた値へと変更することができる。また、操作ツマミ４４を移動させることにより、ボールプランジャ４５を各溝部４３ａに係合させると、操作ツマミ４４を介してユーザの手にクリック感が伝わる。従って、ユーザは、例えば上ベース部４１の外周面等に刻印された指標等（図示省略）を目視で確認することなく、開口絞り４０の絞り径が変更されたことを容易に把握することができる。すなわち、顕微鏡１では、ブラインド操作によって、開口絞り４０の絞り径を容易に変更することができる。
【００４５】
同様に、レボルバ１９を時計回りに回転操作することにより、対物レンズ１８を４倍から１０倍へと切り替えた場合、操作環５３を時計回りに回転させることにより、溝部５３ａ４に係合しているボールプランジャ４５を、操作環５３の外周面に沿って移動させ、隣の溝部５３ａ１０に係合させる。これにより、視野絞り５０の絞り径を、４倍の対物レンズ１８に応じた値から、１０倍の対物レンズ１８に応じた値へと変更することができる。また、操作環５３を回転させることにより、ボールプランジャ４５を各溝部５３ａに係合させると、操作環５３を介してユーザの手にクリック感が伝わる。従って、ユーザは、例えば操作環５３の外周面等に刻印された指標等（図示省略）を目視で確認することなく、視野絞り５０の絞り径が変更されたことを容易に把握することができる。すなわち、顕微鏡１では、ブラインド操作によって、視野絞り５０の絞り径を容易に変更することができる。
【００４６】
（実施の形態２）
本発明の実施の形態２に係る顕微鏡の構成について、図８および図９を参照しながら説明する。本実施の形態に係る顕微鏡は、開口絞り４０の代わりに開口絞り４０Ａを備えること以外は、前記した顕微鏡１と同様の構成を備えている。従って、以下では開口絞り４０Ａの構成についてのみ説明する。
【００４７】
開口絞り４０Ａは、図８および図９に示すように、上ベース部４１と、下ベース部４２と、絞り環（環状部材）４３Ａと、操作ツマミ４４と、絞り羽４６と、ピン部材４８と、を備えている。なお、図８は、開口絞り４０Ａにおいて、上ベース部４１およびピン部材４８の上半分を切断した状態を示しており、図９は、開口絞り４０Ａにおいて、上ベース部４１を取り外し、かつ絞り環４３Ａの上半分を切断した状態を示している。
【００４８】
上ベース部４１、下ベース部４２、操作ツマミ４４および絞り羽４６は、前記した開口絞り４０における構成と同様である。上ベース部４１の貫通孔４１ｂには、後記するピン部材４８の凸部４８２がねじ込まれている。
【００４９】
絞り環４３Ａは、筒状に形成されており、内部に６枚の絞り羽４６が設けられている。絞り環４３Ａは、光軸を中心に回転可能に構成されている。本実施の形態に係る顕微鏡では、光軸を中心として絞り環４３Ａを回転させることにより、６枚の絞り羽４６による絞り径Ｄ（図９参照）が変化する。絞り環４３Ａの外周面には、溝部（第二の溝部）４３ｂが形成されている。
【００５０】
溝部４３ｂは、絞り環４３Ａの外周面の周方向に延びる矩形状の溝である。この溝部４３ｂには、ピン部材４８の凸部４８３が挿入されている。なお、溝部４３ｂの具体的な形成位置については後記する。
【００５１】
ピン部材４８は、柱状の本体部４８１と、本体部４８１から突出する凸部４８２と、凸部４８２から突出し、かつ絞り環４３Ａの外周側から溝部４３ｂ内に挿入される凸部４８３と、を備えている。このような構成を備えるピン部材４８は、絞り環４３Ａの回転に伴って溝部４３ｂ内を相対的に移動可能であり、これにより溝部４３ｂの周方向における一端４３ｂａまたは他端４３ｂｂに当接可能に構成されている。
【００５２】
溝部４３ｂは、絞り環４３Ａの回転に伴ってピン部材４８が溝部４３ｂの周方向における一端４３ｂａまたは他端４３ｂｂに当接した際の開口絞り４０Ａの絞り径Ｄが、対応する対物レンズ１８の種類に応じた値となる位置に形成されている。
【００５３】
すなわち、絞り環４３Ａの回転に伴って、ピン部材４８が溝部４３ｂの一端４３ｂａに当接した場合、開口絞り４０Ａの絞り径Ｄは、複数の対物レンズ１８のうちの一つに応じた値となる。一方、絞り環４３Ａの回転に伴って、ピン部材４８が溝部４３ｂの他端４３ｂｂに当接した場合、開口絞り４０Ａの絞り径Ｄは、複数の対物レンズ１８のうちの別の一つに応じた値となる。
【００５４】
例えば、図８に示すように、ピン部材４８が溝部４３ｂの一端４３ｂａに当接している際の開口絞り４０Ａの絞り径Ｄは、４０倍の対物レンズ１８に応じた値となる。また、そこから絞り環４３Ａを反時計回りに回転させて、ピン部材４８を溝部４３ｂの他端４３ｂｂに当接させた際の開口絞り４０Ａの絞り径Ｄは、１０倍の対物レンズ１８に応じた値となる。
【００５５】
このように、開口絞り４０Ａでは、絞り環４３Ａの外周面に形成された溝部４３ｂと、溝部４３ｂに挿入されるピン部材４８とが、絞り環４３Ａの回転角を予め設定された回転角へと位置決めするための位置決め手段として機能する。
【００５６】
以上のような構成を備える実施の形態２に係る顕微鏡によれば、前記した実施の形態１に係る顕微鏡１と同様に、対物レンズ１８の種類を変更した際に、開口絞り４０Ａの絞り径を、対応する対物レンズ１８の種類に応じた値へと素早く設定することができる。従って、対物レンズ１８の種類を切り替えながら多数の検査を行う場合であっても、操作の手間を削減することができ、操作に伴う疲労を軽減することができる。また、開口絞り４０Ａの絞り径を、２種類（例えば１０倍と４０倍）の対物レンズ１８に応じた値へと、ブラインド操作によって素早く切り替えることができる。
【００５７】
（実施の形態３）
本発明の実施の形態３に係る顕微鏡の構成について、図１０〜図１２を参照しながら説明する。本実施の形態に係る顕微鏡は、開口絞り４０の代わりに開口絞り４０Ｂを備えること以外は、前記した顕微鏡１と同様の構成を備えている。従って、以下では開口絞り４０Ｂの構成についてのみ説明する。
【００５８】
開口絞り４０Ｂは、図１０〜図１２に示すように、上ベース部４１と、下ベース部４２Ｂと、絞り環（環状部材）４３Ｂと、操作ツマミ４４と、絞り羽４６と、ピン部材４９と、を備えている。なお、図１０は、開口絞り４０Ｂにおいて、上ベース部４１の上半分を切断した状態を示しており、図１１および図１２は、ピン部材４９を含むように開口絞り４０Ｂを切断した状態を示している。
【００５９】
上ベース部４１、操作ツマミ４４および絞り羽４６は、前記した開口絞り４０における構成と同様である。下ベース部４２Ｂは、中空円板状に形成されており、前記した上ベース部４１と嵌め合わされている。下ベース部４２Ｂの上面には、絞り環４３Ｂが回転可能に載置されている。また、下ベース部４２Ｂは、絞り環４３Ｂの底部において、当該絞り環４３Ｂの径方向に張り出した形状を呈している。また、下ベース部４２Ｂには、板厚方向に窪んだ凹部４２ａが形成されている。また、凹部４２ａには、長孔４２ｂが形成されている。
【００６０】
長孔４２ｂは、下ベース部４２Ｂの周方向に沿って、かつ下ベース部４２Ｂを貫通して形成されている。この長孔４２ｂには、二本のピン部材４９が挿入され、かつ固定されている。なお、長孔４２ｂの具体的な形成位置については後記する。
【００６１】
絞り環４３Ｂは、筒状に形成されており、内部に６枚の絞り羽４６が設けられている。絞り環４３Ｂは、光軸を中心に回転可能に構成されている。本実施の形態に係る顕微鏡では、光軸を中心として絞り環４３Ｂを回転させることにより、６枚の絞り羽４６による絞り径Ｄ（図１０参照）が変化する。
【００６２】
ピン部材４９は、柱状の本体部４９１と、本体部４９１から突出する凸部４９２と、リング部４９３と、を備えている。リング部４９３の貫通孔４９３ａの内周面はネジが切られており、凸部４９２がねじ込まれている。これにより、図１１に示すように、下ベース部４２Ｂの下面４２ｃと、本体部４９１の上面４９１ａとが当接し、下ベース部４２Ｂに対してピン部材４９が固定された状態となっている。
【００６３】
ピン部材４９は、図１０に示すように、長孔４２ｂに対して、操作ツマミ４４を挟む両側の位置に挿入され、かつ固定されている。これにより、絞り環４３Ｂが回転して操作ツマミ４４が移動した際に、当該操作ツマミ４４の周方向における一方の側面４４ａまたは他方の側面４４ｂが当接可能に構成されている。
【００６４】
二本のピン部材４９は、絞り環４３Ｂの回転に伴って操作ツマミ４４の周方向における一方の側面４４ａまたは他方の側面４４ｂが当接した際の開口絞り４０Ｂの絞り径Ｄが、対応する対物レンズ１８の種類に応じた値となる位置にそれぞれ設けられている。
【００６５】
すなわち、絞り環４３Ｂの回転に伴って、操作ツマミ４４の一方の側面４４ａがピン部材４９に当接した場合、開口絞り４０Ｂの絞り径Ｄは、複数の対物レンズ１８のうちの一つに応じた値となる。一方、絞り環４３Ｂの回転に伴って、操作ツマミ４４の他方の側面４４ｂがピン部材４９に当接した場合、開口絞り４０Ｂの絞り径Ｄは、複数の対物レンズ１８のうちの別の一つに応じた値となる。
【００６６】
例えば、図１０に示すように、操作ツマミ４４の一方の側面４４ａがピン部材４９に当接している際の開口絞り４０Ｂの絞り径Ｄは、最大側の１００倍の対物レンズ１８に応じた値となる。また、そこから操作ツマミ４４を反時計回りに移動させて、操作ツマミ４４の他方の側面４４ｂをピン部材４９に当接させた際の開口絞り４０Ｂの絞り径Ｄは、最小側の４倍の対物レンズ１８に応じた値となる。
【００６７】
なお、二本のピン部材４９は、標本の見え方やコントラスト等に応じて、任意の位置に配置することができる。例えば、本実施の形態に係る顕微鏡が４倍、１０倍、４０倍、１００倍の４種類の対物レンズ１８を備えている場合、開口絞り４０Ｂの絞り径Ｄが、（１）４倍の対物レンズ１８に応じた値となる位置、（２）１０倍の対物レンズ１８に応じた値となる位置、（３）４０倍の対物レンズ１８に応じた値となる位置、（４）１００倍の対物レンズ１８に応じた値となる位置、のうちのいずれか２ヶ所を選択して配置することができる。ピン部材４９は、図１２に示すように、リング部４９３に対する凸部４９２のねじ込みを緩めることにより、長孔４２ｂ上の任意の位置に移動させることができる。
【００６８】
このように、開口絞り４０Ｂでは、下ベース部４２Ｂに形成された長孔４２ｂと、長孔４２ｂに挿入される二本のピン部材４９とが、絞り環４３Ｂの回転角を予め設定された回転角へと位置決めするための位置決め手段として機能する。
【００６９】
以上のような構成を備える実施の形態３に係る顕微鏡によれば、前記した実施の形態１に係る顕微鏡１と同様に、対物レンズ１８の種類を変更した際に、開口絞り４０Ｂの絞り径を、対応する対物レンズ１８の種類に応じた値へと素早く設定することができる。従って、対物レンズ１８の種類を切り替えながら多数の検査を行う場合であっても、操作の手間を削減することができ、操作に伴う疲労を軽減することができる。また、開口絞り４０Ｂの絞り径を、２種類（例えば４倍と１００倍）の対物レンズ１８に応じた値へと、ブラインド操作によって素早く切り替えることができる。
【００７０】
以上、本発明に係る顕微鏡について、発明を実施するための形態により具体的に説明したが、本発明の趣旨はこれらの記載に限定されるものではなく、特許請求の範囲の記載に基づいて広く解釈されなければならない。また、これらの記載に基づいて種々変更、改変等したものも本発明の趣旨に含まれることはいうまでもない。
【００７１】
例えば、実施の形態１に係る顕微鏡１では、開口絞り４０および視野絞り５０の両方に位置決め手段（溝部４３ａ，５３ａおよびボールプランジャ４５）を設けた例について説明したが、位置決め手段は開口絞り４０および視野絞り５０のいずれか一方に設けてもよい。
【００７２】
また、実施の形態２，３に係る顕微鏡では、開口絞り４０Ａ，４０Ｂに位置決め手段（溝部４３ｂおよびピン部材４８、長孔４２ｂおよび二本のピン部材４９）を設けた例について説明したが、視野絞り５０に開口絞り４０Ａ，４０Ｂと同様の位置決め手段を設けてもよい。
【符号の説明】
【００７３】
１  顕微鏡
１０  顕微鏡本体
１１ａ  ベース部
１１ｂ  柱部
１１ｃ  アーム部
１２  ステージ保持部材
１３  ステージ焦準ハンドル
１４  コンデンサガイド
１５  コンデンサ焦準ハンドル
１６  光源
１７  コレクタレンズ
１８  対物レンズ
１９  レボルバ
２１  鏡筒
２２  切り替えレバー
２３  接眼レンズ
３１  ステージ
３２  コンデンサユニット
４０，４０Ａ，４０Ｂ  開口絞り
４１  上ベース部
４１ａ  切欠き
４１ａａ  底面
４１ｂ  貫通孔
４２，４２Ｂ  下ベース部
４２ａ  凹部
４２ｂ  長孔
４２ｃ  下面
４３，４３Ａ，４３Ｂ  絞り環
４３ａ，４３ａ４，４３ａ１０，４３ａ４０，４３ａ１００  溝部（第一の溝部）
４３ｂ  溝部（第二の溝部）
４３ｂａ  一端
４３ｂｂ  他端
４４  操作ツマミ
４４ａ  一方の側面
４４ｂ  他方の側面
４５  ボールプランジャ
４５１  ケース本体
４５２  凸部
４５３  コイルバネ
４５４  ボール
４６  絞り羽
４７  レンズ
４８  ピン部材
４８１  本体部
４８２，４８３  凸部
４９  ピン部材
４９１  本体部
４９１ａ  上面
４９２  凸部
４９３  リング部
４９３ａ  貫通孔
５０  視野絞り
５１  蓋部材
５１ａ  貫通孔
５２  窓レンズ
５３  操作環
５３ａ，５３ａ４，５３ａ１０，５３ａ４０，５３ａ１００  溝部
５４  絞り環
５５  絞り羽
【図１】
2019090968.tif 000003
【図２】
2019090968.tif 000004
【図３】
2019090968.tif 000005
【図４】
2019090968.tif 000006
【図５】
2019090968.tif 000007
【図６】
2019090968.tif 000008
【図７】
2019090968.tif 000009
【図８】
2019090968.tif 000010
【図９】
2019090968.tif 000011
【図１０】
2019090968.tif 000012
【図１１】
2019090968.tif 000013
【図１２】
2019090968.tif 000014